(57)【要約】      （修正有）【課題】同一の移動式ショットブラスト設備によって水平状の研掃面および垂直状の研掃面の両方を研掃することが可能な移動式ショットブラスト設備を提供する。【解決手段】ショット投射装置１におけるインペラ内装のケーシング２とショット回収ケース機構３とを概略Ｖ字状に接合して自走装置４に装着し、ショット回収ケース機構３のショット排出口とショット投射装置１のショット供給口との間に、ショットと粉塵とを相互に分離する分離機構を付設したショット貯蔵タンク５を配設して、水平状または垂直状の研掃面上を移動させかつ投射したショットを回収しながら研掃面を処理するようにした移動式ショットブラスト設備において、ショット貯蔵タンク５におけるショットをショット供給口に誘導するショット滑降壁として、少なくとも前記自走装置の走行する研掃面に対して３５〜４５度傾斜するもの５ａと４５〜５５度傾斜するもの５ｂとの二つを有することを特徴とする。【選択図】図１
2005224866.tif 000002
【特許請求の範囲】
【請求項１】
ショット投射装置におけるインペラ内装のケーシングとショット回収ケース機構とを概略Ｖ字状に接合して自走装置に装着し、前記ショット回収ケース機構のショット排出口と前記ショット投射装置のショット供給口との間に、ショットと粉塵とを相互に分離する分離機構を付設したショット貯蔵タンクを配設して、水平状または垂直状の研掃面上を移動させかつ投射したショットを回収しながら研掃面を処理するようにした移動式ショットブラスト設備において、
前記ショット貯蔵タンクにおけるショットを前記ショット供給口に誘導するショット滑降壁として、少なくとも前記自走装置の走行する研掃面に対して３５〜４５度傾斜るものと４５〜５５度傾斜ものとの二つを有することを特徴とする移動式ショットブラスト設備。
【請求項２】
請求項１に記載の移動式ショットブラスト設備において、
前記ショット滑降壁として、少なくとも前記自走装置の走行する研掃面に対して４０度傾斜するものと５０度傾斜するものとの二つを有することを特徴とする移動式ショットブラスト設備。
【請求項３】
請求項１または２に記載の移動式ショットブラスト設備において、
前記ショット投射装置と前記ショット回収ケース機構と前記自走装置と前記ショット貯蔵タンクとから成る移動式ショットブラスト設備本体の重心を通る中心線上に、この移動式ショットブラスト設備本体を支持する支持フレームを回動自在に装着したことを特徴とする移動式ショットブラスト設備。
【発明の詳細な説明】
【技術分野】
【０００１】
本発明は、移動式ショットブラスト設備の改良に関する。      
【背景技術】
【０００２】
従来、移動式ショットブラスト設備としては、特許文献１〜３に示すように、ショット投射装置におけるインペラ内装のケーシングとショット回収ケース機構とを概略Ｖ字状に接合して自走装置に装着し、前記ショット回収ケース機構のショット排出口と前記ショット投射装置のショット供給口との間に、ショットと粉塵とを相互に分離する分離機構を付設したショット貯蔵タンクを配設して、水平状または垂直状の研掃面上を移動させかつ投射したショットを回収しながら研掃面を処理するようにしたものがある。
【特許文献１】実用新案登録番号  第２５６１４３７ 号
【特許文献２】特許番号  特許第２７７００８９号
【特許文献３】特許番号  特許第３２６６１４５号
【０００３】
しかし、このように構成された従来の移動式ショットブラスト設備では、水平状の研掃面および垂直状の研掃面の両方を研掃しようとすると、特に投射後回収したショットをショット投射装置に円滑に供給することができず、汎用性に欠けるなどの問題があった。
【発明の開示】
【発明が解決しようとする課題】
【０００４】
本発明は上記の事情に鑑みてなされたもので、その目的は、同一の移動式ショットブラスト設備によって水平状の研掃面および垂直状の研掃面の両方を研掃することが可能な移動式ショットブラスト設備を提供することにある。      
【課題を解決するための手段】
【０００５】
上記の目的を達成するために請求項１の移動式ショットブラスト設備は、ショット投射装置におけるインペラ内装のケーシングとショット回収ケース機構とを概略Ｖ字状に接合して自走装置に装着し、前記ショット回収ケース機構のショット排出口と前記ショット投射装置のショット供給口との間に、ショットと粉塵とを相互に分離する分離機構を付設したショット貯蔵タンクを配設して、水平状または垂直状の研掃面上を移動させかつ投射したショットを回収しながら研掃面を処理するようにした移動式ショットブラスト設備において、前記ショット貯蔵タンクにおけるショットを前記ショット供給口に誘導するショット滑降壁として、少なくとも前記自走装置の走行する研掃面に対して３５〜４５度傾斜するものと４５〜５５度傾斜するものとの二つを有することを特徴とする。
【０００６】
このように構成されたものは、ショット貯蔵タンクにおけるショット滑降壁として、少なくとも前記自走装置の走行する研掃面に対して３５〜４５度傾斜するものと４５〜５５度傾斜するものとの二つを有するため、水平状の研掃面を研掃する場合には研掃面に対して３５〜４５度傾斜するショット滑降壁を、また垂直状の研掃面を研掃する場合には研掃面に対して４５〜５５度傾斜するショット滑降壁をそれぞれ滑降させてショット貯蔵タンク内のショットをショット投射装置のショット供給口に供給するため、移動式ショットブラスト設備を水平状の研掃面および垂直状の研掃面の両方の研掃に対して使用しても、ショット貯蔵タンク内のショットをショット投射装置のショット供給口に確実に供給することができる。
【０００７】
また、請求項３の移動式ショットブラスト設備は、請求項１または２に記載の移動式ショットブラスト設備において、前記ショット投射装置と前記ショット回収ケース機構と前記自走装置と前記ショット貯蔵タンクとから成る移動式ショットブラスト設備本体の重心を通る中心線上に、この移動式ショットブラスト設備本体を支持する支持フレームを回動自在に装着したことを特徴とする。
【０００８】
請求項３の移動式ショットブラスト設備においては、移動式ショットブラスト設備本体をこれの重心を通る中心線上で支持フレームによって回動自在に支持しているため、移動式ショットブラスト設備本体を水平状の研掃面および垂直状の研掃面に対してそれぞれ適確に密着させることができる。
また、移動式ショットブラスト設備が研掃面上を移動する際に自走装置の車輪が研掃面上をスリップする場合には、移動式ショットブラスト設備本体を支持フレームを介して適宜の牽引手段により牽引する。ことにより移動式ショットブラスト設備を適確に移動させることができる。
【発明の効果】
【０００９】
以上の説明から明らかなように請求項１の移動式ショットブラスト設備は、ショット投射装置におけるインペラ内装のケーシングとショット回収ケース機構とを概略Ｖ字状に接合して自走装置に装着し、前記ショット回収ケース機構のショット排出口と前記ショット投射装置のショット供給口との間に、ショットと粉塵とを相互に分離する分離機構を付設したショット貯蔵タンクを配設して、水平状または垂直状の研掃面上を移動させかつ投射したショットを回収しながら研掃面を処理するようにした移動式ショットブラスト設備において、前記ショット貯蔵タンクにおけるショットを前記ショット供給口に誘導するショット滑降壁として、少なくとも前記自走装置の走行する研掃面に対して３５〜４５度傾斜するものと４５〜５５度傾斜するものとの二つを有するから、移動式ショットブラスト設備が水平状の研掃面および垂直状の研掃面を研掃しても、ショット貯蔵タンク内のショットをショット投射装置のショット供給口に確実に供給することができるため、水平状の研掃面および垂直状の研掃面の両方を研掃することが可能になり、汎用性が生じるなどの優れた実用的効果を奏する。        
【発明を実施するための最良の形態】
【００１０】
以下、本発明を適用した移動式ショットブラスト設備について図１および図２に基づき詳細に説明する。本移動式ショットブラスト設備においては、ショット投射装置１におけるインペラ内装のケーシング２とショット回収ケース機構３とが概略Ｖ字状に接合して自走装置４に装着してあり、前記ショット回収ケース機構３のショット排出口と前記ショット投射装置１のショット供給口との間には、ショットと粉塵とを相互に分離する分離機構を付設したショット貯蔵タンク５が配設してある。
【００１１】
そして、このショット貯蔵タンク５においては、このショット貯蔵タンク５内のショットを前記ショット供給口に誘導するショット滑降壁として、前記自走装置４の走行する研掃面に対して３５〜４５度傾斜するもの５ａと４５〜５５度傾斜するもの５ｂとの二つが設けてある。
【００１２】
また、前記ショット投射装置１と前記ショット回収ケース機構３と前記自走装置４と前記ショット貯蔵タンク５とから成る移動式ショットブラスト設備本体の重心を通る中心線上には、この移動式ショットブラスト設備本体を支持する支持フレーム６が回動自在に装着してある。
【００１３】
また、前記自走装置４は、台車７と、この台車７に装着されてこれを駆動する電気モータ８と、電気モータ８の出力軸の回転力を伝動する伝動機構９とで構成してある。
【００１４】
このように構成したものは、ショット貯蔵タンク５に所要量のショットを供給した後、支持フレーム６によって移動式ショットブラスト設備本体を回動自在に支持して研掃面に自走装置４を当接させながら、支持フレーム６を介して適宜の牽引手段により牽引して移動式ショットブラスト設備を研掃面上を移動させると、ショット貯蔵タンク５が、ショット滑降壁として自走装置４の走行する研掃面に対して３５〜４５度傾斜するもの５ａと、４５〜５５度傾斜するもの５ｂとの二つを有するため、水平状の研掃面を研掃する場合には研掃面に対して３５〜４５度傾斜するショット滑降壁５ａを、また垂直状の研掃面を研掃する場合には研掃面に対して４５〜５５度傾斜するショット滑降壁５ｂをショットがそれぞれ滑降し、この結果、移動式ショットブラスト設備を水平状の研掃面または垂直状の研掃面に対して使用しても、ショット貯蔵タンク５内のショットはショット滑降壁５ａまたはショット滑降壁５ｂ上をそれぞれ円滑に滑降してショット投射装置１のショット供給口に確実に供給されることとなる。
【図面の簡単な説明】
【００１５】
【図１】本発明の一実施例の正面図である。
【図２】図１の平面図である。
【符号の説明】
【００１６】
１  ショット投射装置
２  ケーシング
３  ショット回収ケース機構
４  自走装置
５  ショット貯蔵タンク
５ａ  ショット滑降壁
５ｂ  ショット滑降壁
【図１】
2005224866.tif 000003
【図２】
2005224866.tif 000004